(57)【特許請求の範囲】
【請求項１】
長尺の牽引案内手段と、設置対象の新配管の外径と同一の又は該新配管の外径より小さい外径を有した円筒状のスリーブと、一端側に前記新配管の端部の内部空間に挿入嵌合される挿嵌部を有すると共に他端側に前記牽引案内手段に連結するための連結部を有した連結手段と、を備えてなる配管牽引用治具を用いて、前記新配管を既設配管内に配設する方法であって、
前記新配管の一端部に該新配管の略軸線方向に沿って切り込みを形成した後、該新配管の一端部の外径を縮径させ、この縮径状態にある一端部の外周面に、前記スリーブを外嵌する工程と、
前記新配管におけるスリーブが外嵌された一端部の内部空間に前記連結手段の挿嵌部を挿入嵌合する工程と、
前記既設配管の内部空間に該既設配管の一端側から他端側にかけて前記牽引案内手段を挿通配置する工程と、
前記牽引案内手段の一端部を前記連結手段の連結部に連結する工程と、
前記牽引案内手段の他端部を牽引することによって、前記既設配管の内部空間に前記新配管を挿通配置する工程と、を含むことを特徴とする新配管を既設配管内に配設する方法。
【請求項２】
長尺の牽引案内手段と、設置対象の新配管の外径と同一の又は該新配管の外径より小さい外径を有した円筒状のスリーブと、前記新配管の端部の内部空間に挿入嵌合される挿嵌部が略円盤状板部の一方の面に突設されると共に前記牽引案内手段に連結するための連結部が前記略円盤状板部の他方の面に突設されてなる連結手段と、を備え、前記略円盤状板部の外径が前記スリーブの外径と同一となされた配管牽引用治具を用いて、前記新配管を既設配管内に配設する方法であって、
前記新配管の一端部に該新配管の略軸線方向に沿って切り込みを形成した後、該新配管の一端部の外径を縮径させ、この縮径状態にある一端部の外周面に、前記スリーブを外嵌する工程と、
前記新配管におけるスリーブが外嵌された一端部の内部空間に前記連結手段の挿嵌部を挿入嵌合して、前記スリーブの先端面全体を前記連結手段の略円盤状板部で覆う工程と、
前記既設配管の内部空間に該既設配管の一端側から他端側にかけて前記牽引案内手段を挿通配置する工程と、
前記牽引案内手段の一端部を前記連結手段の連結部に連結する工程と、
前記牽引案内手段の他端部を牽引することによって、前記既設配管の内部空間に前記新配管を挿通配置する工程と、を含むことを特徴とする新配管を既設配管内に配設する方法。
【請求項３】
前記切り込みを形成した後、該切り込みを利用して前記新配管の一端部において管壁に重なり部を形成せしめることによって、前記新配管の一端部の外径を縮径させる請求項１または２に記載の新配管を既設配管内に配設する方法。
【発明の詳細な説明】
【技術分野】
【０００１】
本発明は、設置対象の新配管の一端部に取り付けられて該新配管を既設配管内に配設するのに用いられる配管牽引用治具及び該配管牽引用治具を利用して新配管を既設配管内に配設する方法に関する。
【背景技術】
【０００２】
例えば浴槽等に湯水を供給するための配管設備としては、サヤ管と呼ばれる保護管の中に、湯水供給用の配管を挿通配置せしめた構成のものが知られている。配管が経年により劣化等した場合には、保護管内の経年配管を新しい配管に交換する（保護管内から経年配管を引き抜いた後に該保護管内に新しい配管を挿通配置する）。
【０００３】
既設保護管内に新しい配管を挿通配置する方法としては、コネクターの一面側のインナーコア部（外周面にスクリューねじが刻設されている）に湯水供給用パイプを外嵌すると共に該コネクターの他面側の凸部に案内用パイプ（既設保護管内に挿通された状態の案内用パイプ）の一端部を装着し、コネクターのインナーコア部の先端部から案内用パイプの先端部（他端部）まで貫通させた芯線によりコネクターと案内用パイプとを連結させることによって、湯水供給用パイプに案内用パイプを連結せしめ、次いで案内用パイプの他端部を牽引することによって新しい湯水供給用パイプを既設保護管内に引き込んで挿通配置する方法が知られている（特許文献１参照）。
【先行技術文献】
【特許文献】
【０００４】
【特許文献１】特許第３４２４０５１号公報
【発明の概要】
【発明が解決しようとする課題】
【０００５】
ところで、浴槽等に湯水を供給するための配管設備としては、保護管を使用することなく供給用配管をそのまま地面下や床下に配設している場合がある（即ち保護管の中に供給用配管が挿通配置された２重管構造を採用していない場合がある）。また、前記２重管構造を採用していても、経年により供給用配管を交換する際に該配管の硬化や膨張変形等により、保護管内から経年配管を引き抜く（取り出す）ことができないことがある。
【０００６】
従来は、上記いずれの場合も、新しい配管を設置するためには、地面を掘り起こして経年配管を除去して新配管を配設したり、床を剥がして床下の経年配管を除去して新配管を配設しなければならず、非常に大掛かりな工事を要して工期が長くなる上に高コストであるという問題があった。
【０００７】
そこで、本発明者は、地面下や床下等を掘り起こして新たに再施工をするのではなく、経年配管の内部に新しい配管を挿通配置する手法を着想した。このように経年配管内に新しい配管を挿通配置する場合には、新しい配管の内径が小さくなると圧力損失により流量が低下することから、極力内径を大きくした新配管を用いることが重要である。従って、新配管の外径は、経年既設配管の内径より小さいが極力これに近い大きさに設定することが求められる。
【０００８】
しかるに、経年既設配管の内部に新しい配管（外径は経年既設配管の内径より小さいが極力これに近い大きさを有する新配管）を挿通配置するのに、上記従来の方法を用いた場合には、コネクターのインナーコア部の外周面のスクリューねじが新配管の一端部内に螺合されることによってコネクターと新配管とが連結されるものであるから、経年既設配管内への牽引中にコネクターと新配管とが離脱しないように強固に連結するためにはインナーコア部の外径を大きく設計しなければならず、そうすると前記螺合接続の際に新配管の一端部が径大に変形膨張し、このために新配管を経年既設配管内に挿通することが困難になるという問題があった。
【０００９】
本発明は、かかる技術的背景に鑑みてなされたものであって、設置対象の新配管に連結した際に新配管が径大に変形膨張することを防止できると共に新配管と連結手段とを強固に連結できて、既設配管内に新配管をスムーズに引き込むことができる配管牽引用治具及び該配管牽引用治具を用いて新配管を既設配管内に配設する方法を提供することを目的とする。
【課題を解決するための手段】
【００１０】
前記目的を達成するために、本発明は以下の手段を提供する。
【００１１】
［１］長尺の牽引案内手段と、
設置対象の配管の端部に外嵌される円筒状のスリーブと、
一端側に前記配管の端部の内部空間に挿入嵌合される挿嵌部を有すると共に他端側に前記牽引案内手段に連結するための連結部を有する連結手段とを備え、
前記スリーブの外径は、前記配管の外径と同一である又は前記配管の外径より小さいことを特徴とする配管牽引用治具。
【００１２】
［２］前記連結手段は、略円盤状板部の一方の面に前記挿嵌部が突設され、該略円盤状板部の他方の面に前記連結部が突設されてなり、
前記略円盤状板部の外径は、前記スリーブの外径と同一であることを特徴とする前項１に記載の配管牽引用治具。
【００１３】
［３］前記挿嵌部は、軸体の外周面にねじ山が形成されてなる前項１または２に記載の配管牽引用治具。
【００１４】
［４］前記牽引案内手段がワイヤーである前項１〜３のいずれか１項に記載の配管牽引用治具。
【００１５】
［５］長尺の牽引案内手段と、設置対象の新配管の外径と同一の又は該新配管の外径より小さい外径を有した円筒状のスリーブと、一端側に前記新配管の端部の内部空間に挿入嵌合される挿嵌部を有すると共に他端側に前記牽引案内手段に連結するための連結部を有した連結手段と、を備えてなる配管牽引用治具を用いて、前記新配管を既設配管内に配設する方法であって、
前記新配管の一端部に該新配管の略軸線方向に沿って切り込みを形成した後、該新配管の一端部の外径を縮径させ、この縮径状態にある一端部の外周面に、前記スリーブを外嵌する工程（スリーブ外嵌工程）と、
前記新配管におけるスリーブが外嵌された一端部の内部空間に前記連結手段の挿嵌部を挿入嵌合する工程（挿入嵌合工程）と、
前記既設配管の内部空間に該既設配管の一端側から他端側にかけて前記牽引案内手段を挿通配置する工程（牽引案内手段挿通工程）と、
前記牽引案内手段の一端部を前記連結手段の連結部に連結する工程（連結工程）と、
前記牽引案内手段の他端部を牽引することによって、前記既設配管の内部空間に前記新配管を挿通配置する工程（新配管挿通工程）と、を含むことを特徴とする新配管を既設配管内に配設する方法。
【００１６】
［６］長尺の牽引案内手段と、設置対象の新配管の外径と同一の又は該新配管の外径より小さい外径を有した円筒状のスリーブと、前記新配管の端部の内部空間に挿入嵌合される挿嵌部が略円盤状板部の一方の面に突設されると共に前記牽引案内手段に連結するための連結部が前記略円盤状板部の他方の面に突設されてなる連結手段と、を備え、前記略円盤状板部の外径が前記スリーブの外径と同一となされた配管牽引用治具を用いて、前記新配管を既設配管内に配設する方法であって、
前記新配管の一端部に該新配管の略軸線方向に沿って切り込みを形成した後、該新配管の一端部の外径を縮径させ、この縮径状態にある一端部の外周面に、前記スリーブを外嵌する工程（スリーブ外嵌工程）と、
前記新配管におけるスリーブが外嵌された一端部の内部空間に前記連結手段の挿嵌部を挿入嵌合して、前記スリーブの先端面全体を前記連結手段の略円盤状板部で覆う工程（挿入嵌合工程）と、
前記既設配管の内部空間に該既設配管の一端側から他端側にかけて前記牽引案内手段を挿通配置する工程（牽引案内手段挿通工程）と、
前記牽引案内手段の一端部を前記連結手段の連結部に連結する工程（連結工程）と、
前記牽引案内手段の他端部を牽引することによって、前記既設配管の内部空間に前記新配管を挿通配置する工程（新配管挿通工程）と、を含むことを特徴とする新配管を既設配管内に配設する方法。
【００１７】
なお、前記［５］及び［６］の発明において、スリーブ外嵌工程は挿入嵌合工程の前に実施することを要し、新配管挿通工程は挿入嵌合工程の後に実施することを要するが、牽引案内手段挿通工程及び連結工程は、いずれも、新配管挿通工程の前に実施するものであればいかなる工程順次で実施してもよいし、また牽引案内手段挿通工程と連結工程の互いの実施の前後関係も特に限定されない。例えば、連結工程、牽引案内手段挿通工程、スリーブ外嵌工程、挿入嵌合工程、新配管挿通工程の順に実施してもよいし、牽引案内手段挿通工程、スリーブ外嵌工程、挿入嵌合工程、連結工程、新配管挿通工程の順に実施してもよい。
【発明の効果】
【００１８】
［１］の発明に係る配管牽引用治具では、設置対象の配管（新配管）の端部に外嵌される円筒状のスリーブの外径は、新配管の外径と同一又は新配管の外径より小さいから、配管におけるスリーブが外嵌された端部に連結手段の挿嵌部を挿入嵌合して連結することにより、新配管の該端部が径大に変形膨張することを防止できると共に新配管と連結手段とを強固に連結できる（配管牽引中に新配管から連結手段が離脱しない）。従って、既設配管内に挿通配置した牽引案内手段の一端部を連結手段の連結部に連結した状態で該牽引案内手段の他端部を牽引することにより、既設配管内に新配管をスムーズに引き込むことができる。また、スリーブの利用により新配管と連結手段とを強固に連結できるので、その分連結手段の挿嵌部の長さを短く設定することができ、このように挿嵌部の長さを短く設定した場合には新配管が既設配管の曲がり部を通過する際の連結手段（の挿嵌部）による抵抗をより小さくできる。
【００１９】
［２］の発明では、連結手段は、略円盤状板部の一方の面に挿嵌部が突設され、該略円盤状板部の他方の面に連結部が突設されてなり、略円盤状板部の外径はスリーブの外径と同一である構成が採用されているから、新配管におけるスリーブが外嵌された端部に連結手段の挿嵌部を挿入嵌合して連結した際に、スリーブの先端面全体が連結手段の略円盤状板部で適合状態に覆われるものとなり、従って既設配管内に新配管を引き込んで該新配管が既設配管の曲がり部を通過する際にスリーブの先端周縁が曲がり部の内周面に引っ掛かることを十分に防止できて、既設配管内に新配管をよりスムーズに挿通させることができる。加えて、新配管に連結手段を連結した際にスリーブの先端面全体が連結手段の略円盤状板部で適合状態に覆われるので、既設配管内に新配管を引き込む操作中に新配管の内部に異物等が侵入するのを十分に防止できる。
【００２０】
［３］の発明では、連結手段の挿嵌部は、軸体の外周面にねじ山が形成されてなるものであるから、配管におけるスリーブが外嵌された端部に連結手段の挿嵌部を挿入嵌合する時に、新配管端部の内周面に挿嵌部を螺合することで嵌合できるので、新配管と連結手段とをより強固に連結できる。
【００２１】
［４］の発明では、牽引案内手段としてワイヤーが用いられているから、既設配管に曲がり部や狭小部が存在する場合であっても、既設配管内に新配管をよりスムーズに引き込むことができる。
【００２２】
［５］及び［６］の発明に係る、新配管を既設配管内に配設する方法によれば、新配管の一端部に該新配管の略軸線方向に沿って切り込みを形成した後、該新配管の一端部の外径を縮径させ、この縮径状態にある一端部の外周面に、新配管の外径と同一の又は該新配管の外径より小さい外径を有した円筒状のスリーブを外嵌し、次いで新配管におけるスリーブが外嵌された一端部の内部空間に連結手段の挿嵌部を挿入嵌合して連結するので、新配管が径大に変形膨張することを防止できると共に新配管と連結手段とを強固に連結できる（配管牽引中に新配管から連結手段が離脱しない）。従って、既設配管内に挿通配置した牽引案内手段の一端部を連結手段の連結部に連結した状態で該牽引案内手段の他端部を牽引することによって、既設配管内に新配管をスムーズに挿通配置することができる。
【００２３】
［６］の発明では、連結手段の略円盤状板部の外径がスリーブの外径と同一であるから、新配管におけるスリーブが外嵌された一端部の内部空間に連結手段の挿嵌部を挿入嵌合した際に、スリーブの先端面全体を連結手段の略円盤状板部で適合状態に覆うことができるので、既設配管内に新配管を引き込んで該新配管が既設配管の曲がり部を通過する際にスリーブの先端周縁が曲がり部の内周面に引っ掛かることを十分に防止できて、既設配管内に新配管をよりスムーズに挿通させることができる。加えて、新配管に連結手段を連結した際にスリーブの先端面全体を連結手段の略円盤状板部で適合状態に覆うことができるので、既設配管内に新配管を引き込んでいる時に新配管の内部に異物等が侵入するのを十分に防止できる。
【図面の簡単な説明】
【００２４】
【図１】（ａ）は連結手段の一実施形態を示す斜視図、（ｂ）はスリーブの一実施形態を示す斜視図である。
【図２】牽引案内手段の一実施形態を示す斜視図である。
【図３】（ａ）は新配管の一端部に切り込みを形成した状態を示す側面図、（ｂ）は該新配管の一端部を縮径させた状態を示す側面図、（ｃ）新配管における縮径状態の端部にスリーブを外嵌した状態を示す側面図、（ｄ）は（ｃ）におけるＸ−Ｘ線の断面を拡大して示す断面図である。
【図４】（ａ）は新配管におけるスリーブが外嵌された一端部内に連結手段の挿嵌部を挿入嵌合している途中状態を示す側面図、（ｂ）は挿入嵌合して新配管に連結手段を連結した状態を示す側面図、（ｃ）は新配管に連結された連結手段の連結部に牽引案内手段の一端部を連結した状態を示す側面図である。
【図５】（ａ）は連結手段の他の実施形態を示す側面図、（ｂ）は該連結手段の挿嵌部を、新配管におけるスリーブが外嵌された一端部内に挿入嵌合した状態を示す側面図である。
【図６】連結手段のさらに他の実施形態を示す側面図である。
【発明を実施するための形態】
【００２５】
本発明に係る配管牽引用治具１は、連結手段４と、円筒状のスリーブ３と、長尺の牽引案内手段２と、を備えてなる。前記連結手段４の一実施形態を図１（ａ）に示し、前記スリーブ３の一実施形態を図１（ｂ）に示し、前記牽引案内手段２の一実施形態を図２に示す。
【００２６】
前記スリーブ３は、設置対象の新配管９０の端部に外嵌されて使用される。前記スリーブ３の素材としては、例えば金属等の硬質材料が挙げられる。
【００２７】
前記スリーブ３の外径は、前記設置対象の新配管９０の外径と同一に設定されている。なお、前記スリーブ３の外径は、前記設置対象の新配管９０の外径より小さいものとなされていてもよい。この場合、前記スリーブ３の外径は、前記設置対象の新配管９０の外径の８０％以上１００％未満に設定されているのが好ましい。
【００２８】
前記連結手段４は、前記新配管９０の端部と前記牽引案内手段２の端部とを連結するのに用いられる。前記連結手段４の素材としては、例えば金属等の硬質材料が挙げられる。前記連結手段４は、一端側に前記新配管９０の端部の内部空間に挿入嵌合される挿嵌部１２を備え、他端側に前記牽引案内手段２に連結するための連結部１３を備える。
【００２９】
本実施形態では、前記連結手段４は、前記挿嵌部１２及び前記連結部１３に加えて略円盤状板部１１を備えている。即ち、本実施形態では、前記連結手段４は、図１（ａ）に示すように、略円盤状板部１１の一方の面に前記挿嵌部１２が突設され、該略円盤状板部１１の他方の面に前記連結部１３が突設されてなる。
【００３０】
前記挿嵌部１２は、軸体１５の外周面にねじ山１６が形成されてなる。前記連結部１３に連結用孔が設けられている。前記挿嵌部１２及び前記連結部１３は、いずれも設置対象の新配管９０の外径より小さい。また、前記挿嵌部１２及び前記連結部１３は、いずれもスリーブ３の外径より小さいのが好ましい。
【００３１】
前記略円盤状板部１１の周側面は、前記挿嵌部１２が設けられた側から前記連結部１３が設けられた側に向けて内向きに傾斜した傾斜面に形成されている。また、前記傾斜面は外方に向けて膨らむ曲面に形成されている。前記略円盤状板部１１の外径は、前記スリーブ３の外径と同一である。即ち、前記略円盤状板部１１の挿嵌部１２が設けられた一方の面の外径は、前記スリーブ３の外径と同一である。前記挿嵌部１２及び前記連結部１３は、前記略円盤状板部１１の外径より小さい。
【００３２】
前記牽引案内手段２としては、既設配管内に容易に挿通できる可撓性の細線体であれば特に限定されず、例えば金属ワイヤー等のワイヤーを例示できる。本実施形態では、前記牽引案内手段２として、金属ワイヤーが用いられている（図２参照）。前記金属ワイヤーは、樹脂製の被覆材で被覆されていてもよいし、被覆材で被覆されていない構成であってもよい。
【００３３】
前記牽引案内手段２の一端部に、連結用孔を有した連結部５０が形成されている。この連結部５０は、前記連結手段４と連結するのに用いられる。
【００３４】
次に、前記配管牽引用治具１を用いて新配管（設置対象の配管）９０を既設配管（地面下、床下等に既に設置されている経年既設配管等）内に配設する方法の一例について説明する。
【００３５】
設置対象の新配管９０は、例えば湯水供給用配管（浴槽への湯水供給用配管等）として用いられるものであり、前記既設配管の内部に挿通配置されて使用される。例えば、前記既設配管が経年劣化等した際に本配設方法を適用することができる。
【００３６】
前記新配管９０の外径は、通常は、既設配管の内径より小さいが該内径に近似した大きさに設定される。中でも、前記新配管９０の外径は、既設配管の内径より１ｍｍ〜２ｍｍ小さい大きさに設定されるのが好ましい。この場合には、より大きな流量を確保できる。
【００３７】
図３（ａ）に示すように、新配管９０の一端部に該新配管９０の略軸線方向に沿って切り込み３１を形成する。この切り込み３１の長さは、前記スリーブ３の長さ（軸線方向の長さ）よりも大きくする。中でも、前記切り込み３１の長さは、前記スリーブ３の長さ（軸線方向の長さ）よりも１〜２０ｍｍ長くするのが好ましい。なお、前記新配管９０としては、通常は、可撓性を有する配管が用いられる。前記可撓性を有する配管としては、特に限定されるものではないが、例えばフッ素系樹脂製配管等を例示できる。
【００３８】
しかる後、図３（ｂ）に示すように、切り込み３１を利用して新配管９０の一端部において管壁に重なり部３２を形成せしめることによって、新配管９０の一端部の外径を縮径させた状態にする（新配管９０の一端部の外径を新配管９０の他端部の外径よりも縮径させた状態にする）。前記重なり部３２は、例えば、新配管９０の一端部（切り込み３１が形成された端部）を人の手の指で強く挟み込むことによって形成させることができる。
【００３９】
次いで、図３（ｃ）（ｄ）に示すように、新配管９０の縮径状態にある一端部の外周面に、スリーブ３を外嵌する。この時、新配管９０の先端面とスリーブ３の先端面を略一致させるのが好ましい。
【００４０】
次に、図４（ａ）に示すように、新配管９０におけるスリーブ３が外嵌された一端部の内部に、連結手段４の挿嵌部１２を挿入して螺合していく。
【００４１】
前記挿嵌部１２の挿入螺合を更に進めることによって、図４（ｂ）に示すように、新配管９０におけるスリーブ３が外嵌された一端部の内部に連結手段４の挿嵌部１２を挿入嵌合して、スリーブ３の先端面全体を連結手段４の略円盤状板部１１で覆う。この時、連結手段４の略円盤状板部１１の周縁部がスリーブ３の先端に当接するように（図４（ｂ）参照）又は近接するように挿入嵌合するのが好ましい。
【００４２】
このように新配管９０におけるスリーブ（新配管の外径と同一の又は該新配管の外径より小さい外径を有したスリーブ）３が外嵌された一端部の内部に連結手段４の挿嵌部１２を挿入嵌合するので、新配管９０が径大に変形膨張することを防止できると共に新配管９０と連結手段４とを強固に連結できる。
【００４３】
次に、既設配管の内部空間に該既設配管の一端側から他端側にかけて牽引案内手段２を挿通配置する。次いで、図４（ｃ）に示すように、牽引案内手段２（既設配管の内部に挿通配置した状態にある牽引案内手段２）の一端の連結部５０を連結手段４の連結部１３に連結する。即ち、連結手段４の連結部１３の連結用孔に針金４０の一端を挿通して折り返すと共に、牽引案内手段２の連結部５０の連結用孔に前記針金４０の他端を挿通して折り返すことによって、連結手段４と牽引案内手段２とを連結する。
【００４４】
しかる後、既設配管の他端開口部から出ている牽引案内手段２の他端部５１を既設配管から離れる方向に牽引することにより、既設配管の内部に新配管９０をスムーズに引き込んで既設配管内に新配管９０を挿通配置せしめることができる。
【００４５】
上記実施形態では、スリーブ３の先端面全体を連結手段４の略円盤状板部１１で適合状態に覆った状態になっているから、既設配管内に新配管９０を引き込んで該新配管９０が既設配管の曲がり部を通過する際にスリーブ３の先端周縁が該曲がり部の内周面に引っ掛かることを十分に防止できて既設配管内に新配管９０をよりスムーズに挿通させることができると共に、既設配管内に新配管９０を引き込み挿通している時に新配管９０の内部に異物等が侵入するのを十分に防止できる。
【００４６】
上記実施形態では、連結手段４は、挿嵌部１２、連結部１３及び略円盤状板部１１を備えた構成が採用されているが、特にこのような構成に限定されるものではなく、例えば図５（ａ）に示すような構成を採用することもできる。
【００４７】
図５（ａ）に示す連結手段４は、挿嵌部２２及び連結部２３を備えた構成である。即ち、この連結手段４は、軸体２５の外周面にねじ山２６が形成されてなる挿嵌部２２と、該挿嵌部２２の基端に連接された連結部２３とを備える。前記連結部２３に連結用孔が設けられている。この連結手段４の挿嵌部２２を、新配管９０における前記スリーブ３が外嵌された一端部の内部に挿入嵌合した状態を図５（ｂ）に示す。
【００４８】
また、上記実施形態では、連結手段４の挿嵌部１２に形成されたねじ山１６、２６は、１重（１条）に構成されているが（図１（ａ）、図５（ａ）参照）、特にこのような構成に限定されるものではなく、例えば２重（２条）に構成されていてもよい。
【００４９】
また、上記実施形態では、連結手段４における挿嵌部１２は、軸体１５の外周面にねじ山１６が形成されてなる構成であるが、前記挿嵌部は、特にこのような螺合しうる構成に限定されるものではない。例えば図６に示すように、連結手段４の挿嵌部３４として、軸体３５の外周面に１ないし複数本の突条３６が設けられた構成を採用してもよい。この場合には、新配管９０における前記スリーブ３が外嵌された一端部の内部空間に、該連結手段４の挿嵌部３４の突条３６をハンマー等を用いた叩き込みによって挿入嵌合すればよい。なお、図６において、３３は、連結部（牽引案内手段２に連結するための連結部）である。
【００５０】
なお、上記配設方法は、その一例を説明したものに過ぎず、本発明の配設方法は、上記手法に特に限定されるものではない。
【産業上の利用可能性】
【００５１】
本発明に係る配管牽引用治具は、設置対象の新配管の一端部に取り付けられて該新配管を既設配管内に挿入配設するのに用いられる。
【符号の説明】
【００５２】
１…配管牽引用治具
２…牽引案内手段
３…スリーブ
４…連結手段
１１…略円盤状板部
１２、２２、３４…挿嵌部
１３、２３、３３…連結部
１５、２５…軸体
１６、２６…ねじ山
３１…切り込み
９０…新配管
【図１】
0005872793.tif 000002
【図２】
0005872793.tif 000003
【図３】
0005872793.tif 000004
【図４】
0005872793.tif 000005
【図５】
0005872793.tif 000006
【図６】
0005872793.tif 000007